(57)【要約】【課題】椅子の背もたれに掛けたときの安定性に優れた鞄を提供する。【解決手段】椅子３０の背もたれ３１の背面に当接可能な本体部１０と、前記本体部の左側及び右側に設けられるとともに、前記背もたれの左右から前記背もたれの前面を抱え込むようにして互いを係止可能な一対の横バンド２０，２１と、本体部の上側に設けられるとともに、前記背もたれの上から前記背もたれの前面に回して前記横バンドに係止可能な縦バンド２２と、を備える。【選択図】図２
2020202978.tif 000002
【特許請求の範囲】
【請求項１】
椅子の背もたれの背面に当接可能な本体部と、
前記本体部の左側及び右側に設けられるとともに、前記背もたれの左右から前記背もたれの前面を抱え込むようにして互いを係止可能な一対の横バンドと、
前記本体部の上側に設けられるとともに、前記背もたれの上から前記背もたれの前面に回して前記横バンドに係止可能な縦バンドと、
を備えることを特徴とする鞄。
【請求項２】
前記縦バンドが１本であり、前記本体部の左右方向の中央に配置されていることを特徴とする請求項１に記載の鞄。
【請求項３】
前記縦バンドの幅が前記本体部の幅の１／４〜３／４であることを特徴とする請求項２に記載の鞄。
【請求項４】
前記縦バンドの先端が、前記一対の横バンドの下から前記一対の横バンドを抱え込むように上に折り返され、前記縦バンドの面に係止する構成となっていることを特徴とする請求項１ないし３に記載の鞄。
【請求項５】
前記本体部の背面に左右及び上に開口を備えるバンド収容部が設けられ、前記バンド収容部に前記一対の横バンド及び前記縦バンドがそれぞれの位置に対応する前記開口から収容可能であることを特徴とする請求項１ないし４のいずれか１項に記載の鞄。
【請求項６】
前記本体部の正面、及び前記一対の横バンドのうち前記一対の横バンドを用いてたすき掛けにして持ったときの人の胸の位置に反射材又は蓄光材が配置されていることを特徴とする請求項１ないし５のいずれか１項に記載の鞄。
【請求項７】
前記本体部が直方体状をなし、高さ及び幅がＰＰＣ用紙用のファイルボックスと同じ大きさであることを特徴とする請求項１ないし６のいずれか１項に記載の鞄。
【請求項８】
前記鞄が防災用品を収納して常備するためのものであることを特徴とする請求項１ないし７のいずれか１項に記載の鞄。
【発明の詳細な説明】
【技術分野】
【０００１】
本発明は、通常時は椅子の背もたれに掛けておき、使用時に背もたれから取外して使用することができる鞄に関する。
【背景技術】
【０００２】
従来、ベビーカーのハンドル部及び背もたれに背負いバンドを掛合させるとともに、ホルダーバンドをベビーカーの背もたれに緊締して巻付けて固定する、カバンやバック等におけるベビーカー用掛け止め装置が開示されている。
【先行技術文献】
【特許文献】
【０００３】
【特許文献１】実用新案登録第３０６２１２１号公報
【発明の概要】
【発明が解決しようとする課題】
【０００４】
しかし、特許文献１に開示されている装置では、背負いバンドとホルダーバンドとは互いに独立した存在で、これらのバンド同士を係止させるものはない。このため、使用状況によっては背負いバンドが背もたれから外れてしまう可能性が否定できず、背もたれに掛けたときの安定性に課題があった。
【０００５】
本発明は、上記の点に鑑みなされたもので、横バンドと縦バンドとを係止させるとともに、これらのバンドで椅子の背もたれを左右方向及び上方向から抱き込むように構成し、背もたれに掛けたときの安定性に優れた鞄を提供することを目的とする。
【課題を解決するための手段】
【０００６】
（１）本発明の鞄は、
椅子の背もたれの背面に当接可能な本体部と、
前記本体部の左側及び右側に設けられるとともに、前記背もたれの左右から前記背もたれの前面を抱え込むようにして互いを係止可能な一対の横バンドと、
本体部の上側に設けられるとともに、前記背もたれの上から前記背もたれの前面に回して前記横バンドに係止可能な縦バンドと、
を備えることを特徴とする。
【０００７】
本発明の鞄によれば、背もたれのうち座る人の背中に当接される側である前方で一対の横バンド同士が係止される。また、背もたれの上から回された縦バンドと一対の横バンドが互いに係止される。このため、背もたれを左右及び上からの３方向から包むように保持することができ、安定性に優れ、人が椅子を使用することによる鞄のずれやバンドの外れを防止することができる。
【０００８】
（２）本発明の鞄の好ましい例は、
前記縦バンドが１本であり、前記本体部の左右方向の中央に配置されていることを特徴とする。
【０００９】
本発明の鞄の好ましい例によれば、縦バンドが１本であり左右方向の中央に配置されている。このため、背もたれを保持する安定性に優れながら、バンドの構成を簡素にすることができる。また、縦バンドが座る人の脊柱に沿って配置されるため、座ったときの縦バンドに対する違和感が少なくなる。
【００１０】
（３）本発明の鞄の好ましい例は、
前記縦バンドの幅が前記本体部の幅の１／４〜３／４であることを特徴とする。
【００１１】
本発明の鞄の好ましい例によれば、縦バンドが幅広に構成されている。このため、縦バンドが背中に当接されたときの違和感が少ない。
【００１２】
（４）本発明の鞄の好ましい例は、
前記縦バンドの先端が、前記一対の横バンドの下から前記一対の横バンドを抱え込むように上に折り返され、前記縦バンドの面に係止する構成となっていることを特徴とする。
【００１３】
本発明の鞄の好ましい例によれば、縦バンドと一対の横バンドとの係止を、縦バンドと一対の横バンドとで直接に係止する構成としていない。このため、縦バンドと一対の横バンドとが重なる部分での厚みの増加を抑えることができる。また、縦バンドが一対の横バンドを覆うことで座る人の背中と一対の横バンドとの接触が柔らかくなり、座ったときの一対の横バンドに対する違和感も少なくなる。
【００１４】
（５）本発明の鞄の好ましい例は、
前記本体部の背面に左右及び上に開口を備えるバンド収容部が設けられ、前記バンド収容部に前記一対の横バンド及び前記縦バンドがそれぞれの位置に対応する前記開口から収容可能であることを特徴とする。
【００１５】
本発明の鞄の好ましい例によれば、一対の横バンドと縦バンドとをバンド収容部に収納することができる。このため、鞄を背もたれに掛けずに載置させるときに美観に優れる。また、人が鞄を持ち運ぶときに、縦バンドのみをバンド収容部に収納して、一対の横バンドをたすき掛けのようにして鞄を保持することができる。
【００１６】
（６）本発明の鞄の好ましい例は、
前記本体部の正面、及び前記一対の横バンドのうち前記一対の横バンドを用いてたすき掛けにして持ったときの人の胸の位置に反射材又は蓄光材が配置されていることを特徴とする。
【００１７】
本発明の鞄の好ましい例によれば、避難時において鞄をたすき掛けにして持ったときに、反射材または蓄光材が人の正面と背面に配置される。これにより、避難者の捜索及び発見が容易となる。
【００１８】
（７）本発明の鞄の好ましい例は、
前記本体部が直方体状をなし、高さ及び幅がＰＰＣ用紙用のファイルボックスと同じ大きさであることを特徴とする。
【００１９】
本発明の鞄の好ましい例によれば、本体部の大きさが事務用の規格された紙として一般的に使用されているＰＰＣ用紙用のファイルボックスと略同じであるため、鞄を机の引き出しやファイルキャビネット等に保管することができる。
【００２０】
（８）本発明の鞄の好ましい例は、
前記鞄が防災用品を収納して常備するためのものであることを特徴とする。
【００２１】
本発明の鞄の好ましい例によれば、鞄が災害時の非常持出品を収納して常備するためのものであるため、人のすぐ側に非常持出品を置くことができる。これにより、非常持出品を緊急時にすぐに手に取って避難することができる。
【発明の効果】
【００２２】
上述したように、本発明の鞄によれば、横バンドと縦バンドとを係止可能とするとともに、これらのバンドで椅子の背もたれの左右方向及び上方向から抱き込むように構成し、背もたれに掛けたときの安定性に優れた鞄とすることができる。
【図面の簡単な説明】
【００２３】
【図１】本発明の一実施形態に係る鞄の正面斜視図である。
【図２】鞄の背面斜視図である。
【図３】鞄の右側面図である。
【図４】一対の横バンド及び縦バンドを広げた状態の正面図である。
【図５】一対の横バンド及び縦バンドを広げた状態の背面図である。
【図６】一対の横バンド及び縦バンドをバンド収容部に収容した状態の背面図である。
【図７】鞄を椅子の背もたれに掛けた状態を示す図である。
【図８】鞄を椅子の背もたれに掛けた状態での一対の横バンド及び縦バンドを示す図である。
【発明を実施するための形態】
【００２４】
以下、本発明の鞄の実施形態について、添付図面を参照して詳細に説明する。
図１ないし図６に示すように、本実施形態の鞄１は、本体部１０と、一対の横バンド２０，２１と、縦バンド２２と、バンド収容部１４とを備える。
【００２５】
本体部１０は、直方体状をなしており、その上面に開閉のためのファスナ１１が設けられる。また、本体部１０の正面側にはポケット１２とポケットカバー１３が設けられる。この本体部１０の大きさは、ＰＰＣ用紙用のファイルボックスと略同じ大きさとされる。このファイルボックスの大きさとしてはＡ判であればＡ４用ファイルボックス、Ａ３用ファイルボックスが好適であり、Ｂ判であればＢ５用ファイルボックス、Ｂ４用ファイルボックスが好適である。これらの具体的な大きさとしては、例えばＡ４用ファイルボックスと略同じ大きさであれば、高さｈが２１０〜２７０ｍｍ、幅ｗが３００〜３６０ｍｍが採用される。Ａ３用ファイルボックスと略同じ大きさであれば、高さｈが３００〜３６０ｍｍ、幅ｗが４２０〜４８０ｍｍが採用される。Ｂ５用ファイルボックスと略同じ大きさであれば、高さｈが１９０〜２５０ｍｍ、幅ｗが２６０〜３２０ｍｍが採用される。Ｂ４用ファイルボックスと略同じ大きさであれば、高さｈが２６０〜３２０ｍｍ、幅ｗが３７０〜４３０ｍｍが採用される。また、奥行きｄは前記ポケット１２を含まずに３０〜１００ｍｍ、ポケット１２を含んで５０〜１５０ｍｍが採用される。なお、高さｈと幅ｗの寸法を入れ替えて本体部１０を縦長とすることもできる。本実施形態の鞄１では、Ａ４用ファイルボックスと略同じ大きさとしている。また、本体部１０には、厚みのある防災用品を入れておき、ポケット１２には比較的薄い防災用品を入れておくことが好ましい。また、ポケット１２には、折りたたみ式のヘルメットを入れておくこともできる。
【００２６】
一対の横バンド２０，２１は、正面から見て本体部１０の左側に縫製等によって設けられる固定式横バンド２０と、正面から見て本体部１０の右側に着脱式バックル２４ａによって設けられる着脱式横バンド２１とを備える。また、固定式横バンド２０の裏面と着脱式横バンド２１の表面とには、それぞれ面ファスナ２３ａ，２３ｂが貼設され、固定式横バンド２０と着脱式横バンド２１とを互いに係止することができる。また、着脱式横バンド２１は、本体部１０の右側のやや上部に設けられた別の着脱式バックル２４ｂにも接続可能である。例えば、本実施形態の鞄１を人が持ち運ぶようなときには、着脱式横バンド２１をこの別の着脱式バックル２４ｂに接続することもできる。
【００２７】
縦バンド２２は、本体部１０の上側のうち、左右方向の略中央に設けられる幅広のシート状ないし帯状のものである。この縦バンド２２は、表地と裏地、必要に応じて芯材を縫い合わせて構成される。この縦バンド２２の幅ｗ１として、例えば本体部１０の幅ｗの１／４〜３／４の寸法が採用される。本実施形態の鞄１では約２／３とされる。また、縦バンド２２の長さＬは、本体部１０の高さｈの１．５倍から２倍である。この縦バンド２２の裏面には、先端と、根元からその長さ方向の略半分までにそれぞれ面ファスナ２３ｃ，２３ｄが貼設され、互いの面ファスナ２３ｃ，２３ｄを係着可能としている。この縦バンド２２は、一対の横バンド２０，２１を下から抱えむようにして先端を上に折り返し、縦バンド２２の裏面の面ファスナ２３ｃ，２３ｄ同士を係着させることで、一対の横バンド２０，２１と係止される。なお、縦バンド２２は本実施形態に用いられるような幅広状の１本に限られず、例えば本体部１０の左右方向に所定の距離を持って複数本の縦バンド２２を設けてもよい。また、一対の横バンド２０，２１と縦バンド２２とにフックやボタン等を設けて、これらを直接に係止させる構成としてもよい。
【００２８】
バンド収容部１４は、本体部１０の背面に、左右及び上に開口１５ａ，１５ｂ，１５ｃを備えて設けられるものであり、１枚の布状の部品の上下端を本体部１０の上下端にそれぞれ縫製等の方法で固定してある。そして、バンド収容部１４と本体部１０との間に、一対の横バンド２０，２１及び縦バンド２２を収容することができる。このバンド収容部１４の左開口１５ａからは固定式横バンド２０が収容され、右開口１５ｂからは着脱式横バンド２１が収容され、上開口１５ｃからは縦バンド２２が収容される。このように、全てのバンドをバンド収容部１４に収容することで、本実施形態の鞄１は全ての構成要素を備えた状態で略直方体状とすることができる。
【００２９】
なお、本実施形態の鞄１には、ポケットカバー１３の表面とその周縁、縦バンド２２の表面、及び着脱式横バンド２１の表面とに、光を反射する反射材１６ａ，１６ｂ，１６ｃ，１６ｄ（又は蓄光材）が設けられている。これらのうち、着脱式横バンド２１に設けられた反射材１６ｄは、鞄１をたすき掛けにして持ったときに、人の胸の位置に来て正面を向くように配置されている。
【００３０】
次に、図７及び図８を参照しつつ、上述した本実施形態の鞄１の各構成要素を踏まえて、本実施形態の鞄１の使用方法を説明する。
先ず、本体部１０の背面（バンド収容部１４）を椅子３０の背もたれ３１の背面に当接させる。次に、固定式横バンド２０と着脱式横バンド２１とを、背もたれ３１の背面かつ左右から抱え込むように背もたれ３１の前面に回し、固定式横バンド２０の裏面と着脱式横バンド２１の表面とに貼設された面ファスナ２３ａ，２３ｂで互いを係止させる。
【００３１】
次に、縦バンド２２を背もたれ３１の背面かつ上から背もたれ３１の前面に回し、一対の横バンド２０，２１の前に垂らす。次に、縦バンド２２の先端を縦バンド２２の裏面側に折り返して、一対の横バンド２０，２１を下から抱え込むようにして上に回す。そして、縦バンド２２の裏面の先端の面ファスナ２３ｃと、縦バンド２２の根元から中程まで設けられてる面ファスナ２３ｄとを係着させ、一対の横バンド２０，２１と縦バンド２２とを係止させる。このようにすることで、椅子３０の背もたれ３１に本実施形態の鞄１を掛けることができる。また、鞄１を椅子３０の背もたれ３１から取外すときは、上記の逆の手順をしてもよいし、一対の横バンド２０，２１を両手で持って、一対の横バンド２０，２１と縦バンド２２とが係止されている状態のまま上方に引き抜いても良い。
【００３２】
また、図６に示すように、一対の横バンド２０，２１と縦バンド２２とをバンド収容部１４に収容することで、鞄１がＡ４ファイルボックスと略同じ大きさになる。この状態で、本実施形態の鞄１をファイルキャビネットや机の引き出し等にそのまま収納することもできる。
【００３３】
また、本実施形態の鞄１には、非常時に用いる防災用品を入れておき、普段から椅子３０の背もたれ３１に掛けておき、災害発生時には速やかに鞄１を手に取って避難することができる。その場合、縦バンド２２はバンド収容部１４に収容して、一対の横バンド２０，２１のみを使用してたすき掛けのようにすることもできる。
【００３４】
以上、説明したように、本実施形態の鞄１によれば、横方向から椅子３０の背もたれ３１を保持する一対の横バンド２０，２１と、縦方向から背もたれ３１を保持する縦バンド２２とが互いに係止され、三方向から背もたれ３１を抱え込むように一体的に構成される。これにより、鞄１の安定性に優れ、背もたれ３１から落下したり位置がずれたりするようなことがない。
【００３５】
また、縦バンド２２が一対の横バンド２０，２１と係止されるため、縦バンド２２の下端が一対の横バンド２０，２１の高さと同じとなるとともに、上記のように一対の横バンド２０，２１と縦バンド２２とが一体的に構成される。このため、一対の横バンド２０，２１を持って上に引き抜くことによって、縦バンド２２も同時に引き抜かれる。これにより、普段は鞄１自体の重力によって背もたれ３１に安定して掛けられているが、災害発生時等の使用時には上に引き抜くことによって、速やかに背もたれ３１から取外すことができる。
【００３６】
また、縦バンド２２がシート状の幅広であり、かつ一対の横バンド２０，２１を抱え込むように構成されるため、一対の横バンド２０，２１と縦バンド２２が椅子３０に座る人の背中に優しく当たり、座る人が違和感を感じにくくすることができる。また、反射材１６ａ，１６ｂ，１６ｃが縦バンド２２とポケットカバー１３とに設けられているため、鞄１を背もたれ３１に掛けた状態で、椅子３０の前方と後方から反射材１６ａ，１６ｂ，１６ｃを目視することができ、災害時の灯りが乏しいときであっても容易に鞄１の位置を把握することができる。さらに、避難時において鞄１をたすき掛けにして持ったとき、ポケットカバー１３に設けられた反射材１６ａが背面を向き、着脱式横バンド２１に設けられた反射材１６ｄが正面を向く。これにより、捜索する者からの発見も容易となる。
【００３７】
また、全てのバンドをバンド収容部１４に収容することで、ファイルキャビネットや机の引き出し等に収納することができ、鞄１の予備の管理や保管が容易である。
【００３８】
なお、上述の鞄は本発明の例示であり、発明の趣旨を逸脱しない範囲において、その構成を適宜変更することができる。
【符号の説明】
【００３９】
１・・鞄、
１０・・本体部、１１・・ファスナ、１２・・ポケット、１３・・ポケットカバー、１４・・バンド収容部、１５ａ，１５ｂ，１５ｃ・・開口、１６ａ，１６ｂ，１６ｃ，１６ｄ・・反射材、
２０・・固定式横バンド、２１・・着脱式横バンド、２２・・縦バンド、２３ａ，２３ｂ，２３ｃ，２３ｄ・・面ファスナ、２４ａ，２４ｂ・・着脱式バックル、
３０・・椅子、３１・・背もたれ、
【図１】
2020202978.tif 000003
【図２】
2020202978.tif 000004
【図３】
2020202978.tif 000005
【図４】
2020202978.tif 000006
【図５】
2020202978.tif 000007
【図６】
2020202978.tif 000008
【図７】
2020202978.tif 000009
【図８】
2020202978.tif 000010